(57)【要約】      （修正有）【課題】多くの機能を要求される場合であっても、構成部品の数を削減でき、組み付けが簡単で省スペース化が可能なコネクタを提供する。【解決手段】本発明のコネクタ１は、端子金具２１と電線端末１２とが挿通される電線挿通筒体部３２を有し硬質材料で一体成形される外側硬質ハウジングと、電線挿通筒体部３２内で端子金具２１及び電線端末１２と共に軟質材料で一体成形される内側軟質ハウジング４１とを有する。また、外側硬質ハウジングの電線挿通筒体部３２には内側軟質ハウジング貫通部が形成され、内側軟質ハウジング４１には内側軟質ハウジング貫通部から外部に露出する外部露出部４３が形成され、外部露出部４３が相手コネクタとのシールを行うシールリップ部となっている。【選択図】図２
2014216280.tif 000002
【特許請求の範囲】
【請求項１】
電線端末の端子金具を外方に露出させた状態で収容すると共に相手コネクタと嵌合するハウジングを有したコネクタであって、
前記ハウジングは、前記端子金具と前記電線端末とが挿通される電線挿通筒体部を有し硬質材料で一体成形される外側硬質ハウジングと、前記電線挿通筒体部内で前記端子金具及び前記電線端末と共に軟質材料で一体成形される内側軟質ハウジングとで形成され、
前記外側硬質ハウジングの電線挿通筒体部には内側軟質ハウジング貫通部が形成され、前記内側軟質ハウジングには前記内側軟質ハウジング貫通部から外部に露出する外部露出部が形成され、
前記外部露出部が前記相手コネクタとのシールを行うシールリップ部となっていることを特徴とするコネクタ。
【請求項２】
請求項１記載のコネクタであって、
前記外側硬質ハウジングの電線挿通筒体部は、前記端子金具及び前記電線端末を収容する本体部と、この本体部の一側に設けられ前記相手コネクタと嵌合する嵌合フード部と、前記本体部の他側に設けられ前記電線が引き出される電線引出筒部とで形成され、
前記内側軟質ハウジングは前記外側硬質ハウジングの電線挿通筒体部内で前記端子金具及び前記電線端末と一体成形される内部ハウジング部を有していることを特徴とするコネクタ。
【請求項３】
請求項１または２記載のコネクタであって、
前記内側軟質ハウジングには、複数個の端子金具と、複数本の電線端末が一括して一体成形されていることを特徴とするコネクタ。
【発明の詳細な説明】
【技術分野】
【０００１】
本発明は、コネクタに関する。
【背景技術】
【０００２】
電気自動車のインバータ装置などの機器に直付けされる高圧コネクタは、通電機能、絶縁機能、防水機能、電磁波シールド機能等の多くの機能を備える必要があり、それぞれの機能を有した構成部品を組み立てることにより形成されている。特許文献１には、このような機能を有したコネクタが記載されている。
【０００３】
特許文献１に記載のコネクタは、電線端末に端子金具が接続され、この電線端末がハウジングに収容され、このハウジングがシールドシェルの内部に挿入されることにより通電機能、絶縁機能及び電磁波シールド機能を備えた構造となっている。また、防水機能を確保するため、電線端末とハウジングとの間にシールリングが配置され、端子金具とハウジングとの間にＯリングが配置され、ハウジングと機器との間にユニットパッキンが配置されている。さらにハウジング内への電線の組み付けやハウジングへのシールリングの組み付けを行う保持機能を備えるためにリアホルダがハウジングの後側に取り付けられる。
【先行技術文献】
【特許文献】
【０００４】
【特許文献１】特開２００３-２９７４７２号公報
【発明の概要】
【発明が解決しようとする課題】
【０００５】
通電機能、絶縁機能、防水機能、電磁波シールド機能さらには部品の保持機能等の多くの機能が要求されるコネクタでは、要求される機能に応じた構成部品が必要であり、コネクタの組み付け作業が複雑で工程数が多くなっている。また、各機能を有する構成部品を組み付けるためのスペースが各構成部品毎に必要となるため、コネクタを小型化するのに限界がある。
【０００６】
そこで本発明は、多くの機能を要求される場合であっても、構成部品の数を削減でき、組み付けが簡単で省スペース化が可能なコネクタを提供することを目的とする。
【課題を解決するための手段】
【０００７】
請求項１の発明は、電線端末の端子金具を外方に露出させた状態で収容すると共に相手コネクタと嵌合するハウジングを有したコネクタであって、ハウジングは、端子金具と電線端末とが挿通される電線挿通筒体部を有し硬質材料で一体成形される外側硬質ハウジングと、電線挿通筒体部内で端子金具及び電線端末と共に軟質材料で一体成形される内側軟質ハウジングとで形成され、外側硬質ハウジングの電線挿通筒体部には内側軟質ハウジング貫通部が形成され、内側軟質ハウジングには内側軟質ハウジング貫通部から外部に露出する外部露出部が形成され、外部露出部が相手コネクタとのシールを行うシールリップ部となっていることを特徴とする。
【０００８】
請求項２の発明は、請求項１記載のコネクタであって、外側硬質ハウジングの電線挿通筒体部は、端子金具及び電線端末を収容する本体部と、この本体部の一側に設けられ相手コネクタと嵌合する嵌合フード部と、本体部の他側に設けられ電線が引き出される電線引出筒部とで形成され、内側軟質ハウジングは外側硬質ハウジングの電線挿通筒体部内で端子金具及び電線端末と一体成形される内部ハウジング部を有していることを特徴とするコネクタ。
【０００９】
請求項３の発明は、請求項１または２記載のコネクタであって、内側軟質ハウジングには、複数個の端子金具と、複数本の電線端末が一括して一体成形されていることを特徴とする。
【発明の効果】
【００１０】
請求項１の発明では、軟質材料からなる内側軟質ハウジングが外側硬質ハウジングの電線挿通筒体部内で端子金具及び電線端末と共に一体成形されることにより、端子金具及び電線端末に対する防水機能を行うと共に、端子金具及び電線端末を保持する保持機能を行う。このように内側軟質ハウジングが部品間の絶縁機能、部品の保持機能、防水機能を行うことから、コネクタに要求される機能を満足するための構成部品を削減することができる。
【００１１】
そして、このように構成部品を削減することができるため、コネクタの組み立て作業が簡単で工程数を少なくすることができ、構成部品を削減できることから構成部品毎のスペースも少なくなるため、コネクタを小型化することができる。
【００１２】
また、外側硬質ハウジングの内側軟質ハウジング貫通部から外部に露出する外部露出部が内側軟質ハウジングに形成されているため、外側硬質ハウジングと相手コネクタとの間を確実に防水することができる。
【００１３】
さらに、外部露出部が相手コネクタとのシールを行うシールリップ部となっているため、相手コネクタに密着して相手コネクタとの間の防水を確実に行うことができる。
【００１４】
請求項２の発明では、内側軟質ハウジングが外側硬質ハウジングの電線挿通筒体部内で端子金具及び電線端末と一体成形される内部ハウジング部を有しているため、端子金具及び電線端末の保持及び防水を確実に行うことができる。
【００１５】
請求項３の発明では、複数本の電線端末と、この複数本の電線端末に接続された複数個の端子金具を一括して内側軟質ハウジングによって一体成形することができる。
【図面の簡単な説明】
【００１６】
【図１】本発明の一実施形態のコネクタの全体を示す斜視図である。
【図２】コネクタの内部を示す断面図である。
【図３】コネクタへの組み付けを行うため、端子金具が接続された状態の電線を示す斜視図である。
【図４】外側硬質ハウジングの外形を示す斜視図である。
【図５】（ａ）は外側硬質ハウジング内に電線を挿通させた状態を示す斜視図、（ｂ）は（ａ）の状態を透視した透視図である。
【図６】（ａ）は外側硬質ハウジングに対して内側軟質ハウジングを一体成形した状態を示す斜視図、（ｂ）は（ａ）の状態を透視した透視図である。
【発明を実施するための形態】
【００１７】
以下、本発明を図示する実施形態により具体的に説明する。図１は本発明の一実施形態のコネクタ１の全体斜視図、図２はその断面図、図３〜図６は組み付け手順を示す斜視図である。
【００１８】
図１及び図２に示すように、コネクタ１は端末１２に端子金具２１が接続された電線１１と、端子金具２１及び電線１１の端末１２を収容するハウジング３とを有している。ハウジング３は端子金具２１の先端部２２を外方に露出させた状態で端子金具２１及び電線１１の端末１２を収容する。また、ハウジング３は図示を省略した相手ハウジングに嵌合して相手ハウジングに組み付けられる。
【００１９】
電線１１はシールド電線が用いられており、図４に示すように、電線１１の端末１２に端子金具２１が接続されている。シールド電線からなる電線１１は、導体を内側絶縁層が覆い、内側絶縁層を編組線からなるシールド層が覆い、シールド層を外側絶縁層が覆っており、端末１２部分では導体が露出され、この導体の露出部分１３が端子金具２１と接続される。本実施形態において、コネクタ１に対し、電線１１は複数本（３本）が組み付けられるが、電線１１としては１本であっても良い。
【００２０】
端子金具２１は板状端子が用いられる。端子金具２１は通電機能を行うための部品である。このため端子金具２１は先端部２２がハウジング３の外方に露出し、露出した先端部２２が相手コネクタ側の端子と接続される。
【００２１】
ハウジング３は外側の外側硬質ハウジング３１と、外側硬質ハウジング３１内の内側軟質ハウジング４１とによって形成されている。
【００２２】
外側硬質ハウジング３１はコネクタ１の外殻となるものであり、端子金具２１及び電線１１の端末１２が内部に挿通される電線挿通筒体部３２を有している。この電線挿通筒体部３２は、本体部３３と、嵌合フード部３４と、電線引出筒部３５とが一体に成形されることにより形成されている。
【００２３】
本体部３３は端子金具２１及び電線１１の端末１２を収容すると共に内側軟質ハウジング４１を内部に保持する。内側軟質ハウジング３１を保持するため、本体部３３は嵌合フード部３４及び電線引出筒部３５よりも厚肉となるように形成される。また、本体部３３の外壁の上下には、相手コネクタに固定するための固定用フランジ片３６が突出して形成されている。
【００２４】
本体部３３における固定用フランジ片３６よりも先端側には、内側軟質ハウジング貫通部３７が形成されている。図３に示すように、内側軟質ハウジング貫通部３７は固定用フランジ片３６よりも先端側で本体部３３を肉厚方向に貫通するように形成された複数の貫通孔によって形成されている。貫通孔からなる内側軟質ハウジング貫通部３７は本体部３３の全周にわたるように所定間隔の複数箇所に形成されている。この内側軟質ハウジング貫通部３７は後述する内側軟質ハウジング４１を金型内で成形する際に、内側軟質ハウジングの樹脂材料が本体部３３の外側に流れ出るための通路となる。
【００２５】
嵌合フード部３４は本体部３３の一側（先端側）に一体形成されている。嵌合フード部３４は相手コネクタに嵌合することにより相手コネクタに対する組み付けを行うことができる。端子金具２１はその先端部２２が嵌合フード部３４内に抜き出されており、これにより端子金具２１は嵌合フード部３４内で相手コネクタの端子と接続可能となっている。
【００２６】
電線引出筒部３５は本体部３３の他側（後端側）に一体形成されている。この電線引出筒部３５から端末１２から連続している電線１１が外部に引き出される。
【００２７】
外側硬質ハウジング３１の電線挿通筒体部３２（本体部３３）には、後述するように内側軟質ハウジング４１が内部に設けられる。このことから外側硬質ハウジング３１は内側軟質ハウジング４１を内部に保持する機能を有している。従って、外側硬質ハウジング３１は内側軟質ハウジング３１を保持するのに適した硬度を有する必要があり、一般的なコネクタハウジングに使用される硬質材料であるポリブチレンテレフタレート（ＰＢＴ）、シンジオタクチックポリスチレン（ＳＰＳ）等の絶縁性樹脂材料によって形成される。
【００２８】
本実施形態において、外側硬質ハウジング３１に対しては、金属フィラー等の金属粉を混合することができる。金属フィラーを混合することにより外側硬質ハウジング３１が電磁波シールド機能を備えたものとすることができる。
【００２９】
内側軟質ハウジング３１は外側硬質ハウジング３１の電線挿通筒体部３２に対して絶縁性を有した軟質材料を充填することにより形成されるものであり、電線挿通筒体部３２内で端子金具２１と電線１１の端末１２と共に一体成形される。この内側軟質ハウジング３１は電線挿通筒体部３２の本体部３３の内部に設けられる内部ハウジング部４２と、内部ハウジング部４２から外側に向かって延びる外部露出部４３とによって形成されている。
【００３０】
内部ハウジング部４２は端子金具２１及び電線１１の端末１２が配置される外側硬質ハウジング３１の本体部３３に充填されるのに加えて、嵌合フード部３４及び電線引出筒部３５の内部にも充填されるように設けられる。
【００３１】
このような内部ハウジング４２においては、外側硬質ハウジング３１の本体部３３内で端子金具２１及び電線１１の端末１２を接着し、この接着力によって端子金具２１及び電線１１の端末に対する防水機能を有する。また、接着力及び硬さによる押さえ力によって端子金具２１及び電線１１の端末１２を保持する保持機能を有している。また、嵌合フード部３４内では、端子金具２１への接着力によって端子金具２１に対する防水機能を有し、接着力及び硬さによる押さえ力によって端子金具２１を保持する保持機能を有している。さらに、電線引出筒部３５内では、電線１１への接着力によって電線１１に対する防水機能を有し、接着力及び硬さによる押さえ力によって電線１１を保持する保持機能を有している。
【００３２】
外部露出部４３は外側硬質ハウジング３１の内側軟質ハウジング貫通部３７から外側硬質ハウジング３１の本体部３３の外部に露出している。外部露出部４３は内側軟質ハウジング貫通部３７から本体部３３の外部に流出することにより形成されるものであり、これにより外側硬質ハウジング３１の本体部３３の全周にわたるように露出している。
【００３３】
本体部３３の全周にわたるように露出した外部露出部４３は嵌合フード部３４を相手コネクタに嵌合したとき、相手コネクタの取付孔の内壁面に密着してシールリップ部となる。このとき外部露出部４３は相手コネクタとの密着によって圧縮する。外部露出部４３はこの圧縮による反力でコネクタ１の外側硬質ハウジング３１と相手コネクタとの間を防水する防水機能を有している。
【００３４】
以上のように内側軟質ハウジング４１はコネクタハウジング本来の絶縁機能を有するだけなく、端子金具２１、電線１１の端末１２、外側硬質ハウジング３１と接着して保持する機能及び適度な反力（弾性）によって端子金具２１、電線１１、外側硬質ハウジング３１や相手コネクタとの界面を防水する機能を有することから、軟質材料としてアクリル系粘着剤やエラストマー系の樹脂材料が用いられる。エラストマー系樹脂材料としては、ポリエステル系、スチレン系、オレフィン系、ポリウレタン系、ポリアミド系、ナイロン系のエラストマーをベースとし、このベースエラストマーに、金属に対して水素結合を示す水酸基（ＯＨ基）を有した接着剤を配合した材料が用いられる。
【００３５】
次に、本実施形態のコネクタ１の組み付け手順を図３〜図６により説明する。
【００３６】
図３は、金型内に樹脂材料を注入することにより外側硬質ハウジング３１を形成した状態を示す。外側硬質ハウジング３１は本体部３３と、本体部３３の一側の嵌合フード部３４と、複数の電線引出筒部３５が一体に形成されており、本体部３３の外壁の上下には固定用フランジ部３６が突出するように一体に形成されている。また、複数の貫通孔からなる複数の内側軟質ハウジング貫通部３７が本体部３３の全周にわたって適宜間隔で形成されている。
【００３７】
図４は、図３の外側硬質ハウジング３１内に挿通される電線１１を示す。各電線１１はその端末１２に端子金具２１が接続され、この接続状態で電線引出筒部３５から電線挿通筒体部３２内に挿通される。
【００３８】
図５（ａ）は、端子金具２１が接続された電線１１を外側硬質ハウジング３１内に挿通した状態を示し、図５（ｂ）はその内部を透視した状態を示す。各電線１１はそれぞれの電線引出筒部３５から外側硬質ハウジング３１の電線挿通筒体部３２内に挿通される。このとき、電線１１の端末１２に接続されている端子金具２１は、その先端部２２が嵌合フード部３４内に抜き出された状態となる。
【００３９】
図５の組み付け状態を金型内にセットしたインサート状態で上述したエラストマー系等の軟質材料を金型内に注入してモールド成形を行う。図６（ａ）は軟質材料をモールド成形した状態を示し、図６（ｂ）はその内部を透視した状態を示す。金型内への樹脂材料の注入により、端子金具２１及び電線１１の端末１２と外側硬質ハウジング３１との間に図１及び図２に示す内部ハウジング部４２が形成される。このとき、軟質の樹脂材料が内側軟質ハウジング貫通部３７から流れ出ることにより外部露出４３が外側硬質ハウジング３１の本体部３３の全周にわたって形成される。
【００４０】
このような本実施形態では、端子金具２１が通電機能を行い、内側軟質ハウジング４１が絶縁機能を行う。これに加えて、軟質材料からなる内側軟質ハウジング４１が端子金具２１及び電線１１の端末１２と共に一体成形されることにより、本体部３２内で端子金具２１及び電線１１の端末に対する防水機能を行うと共に、端子金具２１及び電線１１の端末１２を保持する保持機能を行う。また嵌合フード部３４内で端子金具２１に対する防水機能及び端子金具２１を保持する保持機能を行い、電線引出筒部３５内で電線１１に対する防水機能及び電線１１を保持する保持機能を行う。さらに、内側軟質ハウジング４１は、その外部露出部４３が外側硬質ハウジング３１と相手コネクタとの間を防水する防水機能を行う。
【００４１】
このように内側軟質ハウジング４１が部品間の絶縁機能、部品の保持機能、防水機能を行うことから、コネクタ１に要求される機能を満足するための構成部品を削減することができる。そして、このように構成部品を削減することができるため、コネクタ１の組み立て作業が簡単で工程数を少なくすることができる。また、構成部品を削減できることから構成部品毎のスペースも少なくなるため、コネクタ１を小型化することができる。
【００４２】
これに加えて、本実施形態では、外側硬質ハウジング３１に金属粉が混合されることにより外側硬質ハウジング３１が電磁波シールド機能を有している。これにより電磁波シールドを行うシールドシェルが不要となり、さらに構成部品を削減することが可能となる。
【００４３】
また、内側軟質ハウジング４１が外側硬質ハウジング３１の電線挿通筒体部３２内で端子金具２１及び電線１１の端末１２と一体成形される内部ハウジング部４２を有しているため、端子金具２１及び電線１１の端末１２の保持及び防水を確実に行うことができる。
【００４４】
また、内側軟質ハウジング４１には、外側硬質ハウジング３１の内側軟質ハウジング貫通部３７から外部に露出する外部露出部４３が形成されているため、外側硬質ハウジング３１と相手コネクタとの間を確実に防水することができる。
【００４５】
また、外部露出部４３が相手コネクタとのシールを行うシールリップ部となっているため、相手コネクタに密着して相手コネクタとの間の防水を確実に行うことができる。
【符号の説明】
【００４６】
１  コネクタ
３  ハウジング
１１  電線
１２  端末
２１  端子金具  
３１  外側硬質ハウジング  
３２  電線挿通筒体部
３３  本体部
３４  嵌合フード部
３５  電線引出筒部
３７  内側軟質ハウジング貫通部
４１  内側軟質ハウジング  
４２  内部ハウジング部
４３  外部露出部
【図１】
2014216280.tif 000003
【図２】
2014216280.tif 000004
【図３】
2014216280.tif 000005
【図４】
2014216280.tif 000006
【図５】
2014216280.tif 000007
【図６】
2014216280.tif 000008